(57)【特許請求の範囲】
【請求項１】
空気を吸込むための吸込口と、
吸込んだ空気を屋外へ排気するための排気口と、
吸込んだ空気を浴室内へ送風するための吹出口と、
前記吸込口から空気を吸込み、吸込んだ空気を前記排気口及び前記吹出口へ向けて送風する送風手段と、
前記送風手段から前記排気口への風路の開度と前記送風手段から前記吹出口への風路の開度を調節し、前記送風手段から前記排気口へ向けて送風される空気の量及び、前記送風手段から前記吹出口へ向けて送風される空気の量を調節する風路調節手段と、
前記吹出口から浴室内へ送風される空気を加熱する加熱手段と、
前記排気口から空気を排気する際の、前記送風手段の負荷を検出する送風負荷検出手段と、
前記送風手段により浴室内の空気を吸込み、吸込んだ空気の一部を前記排気口から屋外へ排気し、吸込んだ空気の残部を前記加熱手段により加熱して前記吹出口から浴室内へ送風する乾燥運転モードにおいて、前記送風負荷検出手段により検出した前記送風手段の負荷に基づき、屋外への排気空気と浴室内への送風空気について所定の風量が得られるように、前記風路調節手段の風路の開度を制御する制御手段を備えた
ことを特徴とする浴室空調装置。
【請求項２】
前記送風負荷検出手段により検出した前記送風手段の負荷を記憶する記憶手段と、
前記送風負荷検出手段と前記記憶手段とを作動させる操作手段を備えた
ことを特徴とする請求項１記載の浴室空調装置。
【請求項３】
空気を吸込むための吸込口と、
吸込んだ空気を屋外へ排気するための排気口と、
吸込んだ空気を浴室内へ送風するための吹出口と、
前記吸込口から空気を吸込み、吸込んだ空気を前記排気口及び前記吹出口へ向けて送風する送風手段と、
前記送風手段から前記排気口への風路の開度と前記送風手段から前記吹出口への風路の開度を調節し、前記送風手段から前記排気口へ向けて送風される空気の量及び、前記送風手段から前記吹出口へ向けて送風される空気の量を調節する風路調節手段と、
前記吹出口から浴室内へ送風される空気を加熱する加熱手段と、
前記排気口から空気を排気する際の、前記送風手段の負荷を検出する送風負荷検出手段と、
前記送風負荷検出手段により検出した前記送風手段の負荷を記憶する記憶手段と、
前記記憶手段により記憶された前記送風手段の負荷と予め設定された運転モードごとに異なる制御テーブルとに基づき、前記風路調節手段の風路の開度を制御する制御手段を備えた
ことを特徴とする浴室空調装置。
【請求項４】
前記送風負荷検出手段と前記記憶手段とを作動させる操作手段を備えた
ことを特徴とする請求項３記載の浴室空調装置。
【請求項５】
前記制御手段は、前記送風負荷検出手段により検出した前記送風手段の負荷に基づき、前記送風手段の送風量を制御する
ことを特徴とする請求項１乃至４のいずれかに記載の浴室空調装置。
【請求項６】
前記風路調節手段により前記送風手段から前記吹出口への風路を遮断し、前記送風手段から前記排気口への風路を形成し、前記送風手段により浴室内の空気を吸込み、吸込んだ空気を前記排気口から屋外へ排気する換気運転モードにおいて、
屋外への排気空気について所定の風量が得られるように、前記送風負荷検出手段により検出された前記送風手段の負荷に基づき、前記送風手段の送風量を前記制御手段により制御する
ことを特徴とする請求項１乃至５のいずれかに記載の浴室空調装置。
【請求項７】
前記送風手段はファン及び前記ファンを回転駆動させるファンモータを備え、
前記送風負荷検出手段は前記ファンの回転数を検出する回転数検出手段を備え、
前記風路調節手段により前記送風手段から前記吹出口への風路が遮断され且つ前記ファンモータが所定の状態において前記回転数検出手段により検出された前記ファンの回転数の情報に基づき、前記排気口から空気を排気する際の、前記送風手段の負荷を検出する
ことを特徴とする請求項１乃至６のいずれかに記載の浴室空調装置。
【請求項８】
前記送風手段はファン及び前記ファンを回転駆動させるファンモータを備え、
前記送風負荷検出手段は、前記ファンの圧力損失を検出する圧力検出手段を備え、
前記風路調節手段により前記送風手段から前記吹出口への風路が遮断され且つ前記ファンモータが所定の状態において前記圧力検出手段により検出された前記ファンの圧力損失に基づき、前記排気口から空気を排気する際の、前記送風手段の負荷を検出する
ことを特徴とする請求項１乃至６のいずれかに記載の浴室空調装置。
【発明の詳細な説明】
【技術分野】
【０００１】
本発明は、浴室の空調を行う浴室空調装置に関する。詳しくは、排気の際の送風手段の負荷を検出し、検出した負荷に応じて、送風手段の送風量及び排気口と吹出口への風路開度を調節することにより、設置環境によらず、排気口から屋外へ排気される空気と吹出口から浴室内へ送風される空気についてそれぞれ所定の風量を確保することを可能とするものである。
【背景技術】
【０００２】
従来から、浴室内の空気を吸込み、吸込んだ空気の一部を屋外に排気し、残部を加熱して浴室内に送風することにより、浴室内に設置された被乾燥物の乾燥を行う浴室空調装置が提供されている。またこのような浴室空調装置には、一つのファンにより浴室内の空気の吸込みと、吸込んだ空気の屋外への排気及び浴室内への送風を行い、屋外に排気する空気と浴室内に送風する空気の風量の調整は、装置の内部に備えられたダンパにより行うものがある。
【０００３】
また上記とは別に、ダクト内の送風抵抗を基に送風機の出力及びダンパの開度を変更する空気調和機が提案されている（例えば特許文献１参照）。
【０００４】
特許文献１に開示される空気調和機は、主ダクト及び枝ダクトを介して接続された複数の被空調室に対して分配して送風する送風機を備える。また特許文献１に開示される空気調和機は、各被空調室へ送風する風量を調節するダンパを各枝ダクトに備える。
【０００５】
特許文献１に開示される空気調和機は、各枝ダクトの通過風量、各ダンパの開度及びダクト系全体における圧力損失を基に各ダクト内の送風抵抗を算出し、算出した各ダクト内の送風抵抗を基に、送風機及び各ダンパを制御する。これにより、各被空調室に対する送風量の制御を適正に行うものである。
【０００６】
【特許文献１】特開平７―６３４０４号公報
【発明の開示】
【発明が解決しようとする課題】
【０００７】
しかし、上述した従来の浴室内の被乾燥物の乾燥を行う浴室空調装置においては、次のような問題がある。従来の浴室空調装置においては、被乾燥物の乾燥を行う際、屋外に排気する空気と浴室内に送風する空気の風量調整を行うダンパは、設置環境によらず常に同一の開度に設定される。このダンパの開度は、一般的に、浴室空調装置の標準的な設置環境において、屋外へ空気を排気する際のファンの送風負荷に基づいて決定されている。
【０００８】
しかし、実際に浴室空調装置が設置される環境においては、浴室空調装置から屋外までの排気ダクトの長さの違い等から、屋外へ空気を排気する際のファンの送風負荷が異なる。このため、ダンパの開度を常に同一とした場合、屋外に排気する空気又は浴室内に送風する空気の風量が適正量とならなくなってしまう。
【０００９】
この結果、湿気を含んだ空気が屋外へ排気される量が少なくなる、又は浴室内へ送風される温風の量が少なくなることから、被乾燥物の乾燥を効率良く行うことができない問題がある。
【００１０】
また、特許文献１に開示されている空気調和機は、主ダクト及び枝ダクトを介して接続された複数の被空調室に対する送風量の制御を行うための構成である。このため、特許文献１に開示されている空気調和機は、浴室内の空気を吸込み、吸込んだ空気の一部を屋外に排気し、残部を加熱して浴室内に送風することにより、浴室内に設置された被乾燥物の乾燥を行う浴室空調装置には適用することはできない。
【００１１】
本発明は、このような問題を解決するためになされたもので、排気の際の送風手段の負荷が異なる環境下において、浴室内に設置された被乾燥物の乾燥を効率良く行うことを可能とする浴室空調装置を提供することを目的とする。
【課題を解決するための手段】
【００１２】
上述した課題を解決するため、本発明に係る浴室空調装置は、空気を吸込むための吸込口と、吸込んだ空気を屋外へ排気するための排気口と、吸込んだ空気を浴室内へ送風するための吹出口と、吸込口から空気を吸込み、吸込んだ空気を排気口及び吹出口へ向けて送風する送風手段と、送風手段から排気口への風路の開度と送風手段から吹出口への風路の開度を調節し、送風手段から排気口へ向けて送風される空気の量及び、送風手段から吹出口へ向けて送風される空気の量を調節する風路調節手段と、吹出口から浴室内へ送風される空気を加熱する加熱手段と、排気口から空気を排気する際の、送風手段の負荷を検出する送風負荷検出手段と、送風手段により浴室内の空気を吸込み、吸込んだ空気の一部を排気口から屋外へ排気し、吸込んだ空気の残部を加熱手段により加熱して吹出口から浴室内へ送風する乾燥運転モードにおいて、送風負荷検出手段により検出した送風手段の負荷に基づき、屋外への排気空気と浴室内への送風空気について所定の風量が得られるように、風路調節手段の風路の開度を制御する制御手段を備えたことを特徴とするものである。
また、本発明に係る浴室空調装置は、空気を吸込むための吸込口と、吸込んだ空気を屋外へ排気するための排気口と、吸込んだ空気を浴室内へ送風するための吹出口と、吸込口から空気を吸込み、吸込んだ空気を排気口及び吹出口へ向けて送風する送風手段と、送風手段から排気口への風路の開度と送風手段から吹出口への風路の開度を調節し、送風手段から排気口へ向けて送風される空気の量及び、送風手段から吹出口へ向けて送風される空気の量を調節する風路調節手段と、吹出口から浴室内へ送風される空気を加熱する加熱手段と、排気口から空気を排気する際の、送風手段の負荷を検出する送風負荷検出手段と、送風負荷検出手段により検出した送風手段の負荷を記憶する記憶手段と、記憶手段により記憶された送風手段の負荷と予め設定された運転モードごとに異なる制御テーブルとに基づき、風路調節手段の風路の開度を制御する制御手段を備えたことを特徴とするものである。
【００１３】
本発明に係る浴室空調装置では、以下のように浴室内の空気の排気及び送風が行われる。まず、送風負荷検出手段により、排気口から空気を排気する際の送風手段の負荷が検出される。
【００１４】
その後、検出された送風手段の負荷に基づき、制御手段により風路調節手段が制御され、送風手段から排気口へ向けて送風される空気の量及び、送風手段から吹出口へ向けて送風される空気の量が一定の比率になるように、送風手段から排気口への風路の開度と送風手段から吹出口への風路の開度がそれぞれ調節される。
【００１５】
これにより、浴室空調装置を運転すると、送風手段により吸込口から浴室内の空気が吸込まれる。吸込まれた空気は、風路調節手段により調節された風路を介して、一部は排気口から屋外へ排気され、残部は加熱手段により暖められて吹出口から浴室内へ送風される。
【００１６】
この時、送風手段の負荷に基づき、送風手段から排気口への風路の開度と送風手段から吹出口への風路の開度が調節されることから、排気口から屋外へ排気される空気と吹出口から浴室内へ送風される空気は、それぞれ所定の風量が確保される。
【発明の効果】
【００１７】
本発明の浴室空調装置によれば、送風手段の負荷に基づいて、送風手段から排気口への風路の開度と送風手段から吹出口への風路の開度が調節されることから、設置環境における排気の際の送風手段の負荷によらず、排気口から屋外へ排気される空気と吹出口から浴室内へ送風される空気は、それぞれ所定の風量を確保することができる。
【００１８】
よって、例えば被乾燥物が浴室内に設置された場合、設置環境における排気の際の送風手段の負荷によらず、湿気を含んだ浴室内の空気の所定風量が屋外に排気され、加熱手段により加熱された空気の所定風量が浴室内の被乾燥物に対して送風される。
【００１９】
これにより、設置環境における排気の際の送風手段の負荷によらず、浴室内に設置された被乾燥物の乾燥を常に効率良く行うことが可能となる。
【発明を実施するための最良の形態】
【００２０】
以下、図面を参照して本発明の浴室空調装置の実施の形態について説明する。
【００２１】
＜本実施の形態の浴室空調装置の構成例＞
図１及び図２は、本実施の形態の浴室空調装置１の一例を示す説明図である。図１は浴室空調装置１の構成を示す断面図であり、図２は浴室空調装置１の分解斜視図である。
【００２２】
本実施の形態の浴室空調装置１は、例えば次に示すような構成となる。図１及び図２に示すように、本実施の形態の浴室空調装置１は、本体ケース２、ファンユニット３，風路変更部４，ヒータ５及びフロントパネル６を備えて構成される。更に浴室空調装置１は制御機能部として、図１及び図２には図示しない、操作部２５、ファン回転数検出部２６、制御テーブル記憶部２７及び制御・演算部２４を備える。
【００２３】
ファンユニット３は、回転駆動される多翼のファン７と、ファン７を回転駆動するファンモータ８を備える。また、ファンモータ８が取り付けられると共に、風路を形成するファンケース９を、ファンユニット３は備える。ファンユニット３は送風手段の一例である。
【００２４】
ファンユニット３においてはファン７が鉛直向きに配置される。ファンケース９は、ファン７の軸方向に沿った下面が開口して吸込口１０が形成され、ファン７の軸方向に沿った一の側面が開口して、風路変更部４を備える。
【００２５】
風路変更部４は、風路を調節するダンパ１１を備える。ダンパ１１は後述するダンパモータの駆動力がカム１１ａを介して伝達され、軸１１ｂを支点に回転して開閉動作を行う。ファンケース９は風路変更部４と連通して下面に吹出口１２を備えると共に、風路変更部４と連通して一の側面に排気口１３を備える。ダンパ１１の位置により、吸込口１０から吹出口１２へ連通する風路、吸込口１０から排気口１３へ連通する風路が形成される。風路変更部４は風路調節手段の一例である。
【００２６】
図１はダンパ１１を全閉にした状態を示す。ダンパ１１を全閉にすると、排気口１３への風路が遮断され、吸込口１０から吹出口１２へ連通した循環風路１４が形成される。図１に示すようにダンパ１１が全閉となる位置をダンパ１１の循環位置と称す。
【００２７】
図３はダンパ１１を全開にした状態を示す。ダンパ１１を全開にすると、吹出口１２への風路が遮断され、吸込口１０から排気口１３へ連通した換気風路１５が形成される。ダンパ１１が全開となる位置をダンパ１１の換気位置と称す。
【００２８】
図４はダンパ１１を循環位置と換気位置の中間位置にした状態を示す。ダンパ１１を循環位置と換気位置の中間位置にすると、吸込口１０から吹出口１２へ連通した循環風路１４と、吸込口１０から排気口１３へ連通した換気風路１５の双方が形成される。この中間位置をダンパ１１の循環換気位置と称す。
【００２９】
図１に示すように、ヒータ５は上述した吹出口１２に備えられる。ヒータ５としては、例えばＰＴＣ（Positive Temperature Coefficient）ヒータが利用可能である。ヒータ５は加熱手段の一例である。
【００３０】
図２に示すように、本体ケース２は下面が開口しており、ファンユニット３の吸込口１０と吹出口１２が露出した状態となる。また本体ケース２の下面開口部には、フロントパネル６が着脱自在に取り付けられる。フロントパネル６は、ファンユニット３の吸込口１０と対向して吸込口６ｂを備えると共に、ファンユニット３の吹出口１２と対向して吹出口６ａを備える。またフロントパネル６は、吸込口６ｂの裏側にフィルタ１６が交換可能に取り付けられる。
【００３１】
図１に示すように、ダンパ１１を循環位置にし、ファン７、ヒータ５及びルーバ１７を動作させることにより、次のように、浴室空調装置１の内部及び外部に空気の流れを生じさせる。ファンモータ８によりファン７を駆動すると、ファン７は、吸込口１０から浴室空調装置１外部の空気を吸込む。ファン７は吸込んだ空気を、循環風路１４を通じて吹出口１２から浴室空調装置１の外部に吹出す。
【００３２】
またヒータ５は、ファン７により浴室空調装置１の外部に吹出される空気を、循環風路１４の途中で温める。
【００３３】
図３に示すように、ダンパ１１を換気位置にし、ファン７を動作させることにより、次のように、浴室空調装置１の内部及び外部に空気の流れを生じさせる。ファンモータ８によりファン７を駆動すると、ファン７は、吸込口１０から浴室空調装置１外部の空気を吸込む。ファン７は吸込んだ空気を、換気風路１５を通じて排気口１３から浴室空調装置１の外部に吹出す。
【００３４】
図４に示すように、ダンパ１１を循環換気位置にし、ファン７、ヒータ５及びルーバ１７を動作させることにより、次のように、浴室空調装置１の内部及び外部に空気の流れを生じさせる。ファンモータ８によりファン７を駆動すると、ファン７は、吸込口１０から浴室空調装置１外部の空気を吸込む。ファン７は吸込んだ空気の一部を、換気風路１５を通じて排気口１３から浴室空調装置１の外部に吹出す。
【００３５】
更に、ファン７は吸込んだ空気の残部を、循環風路１４を通じて吹出口１２から浴室空調装置１の外部に吹出す。またヒータ５は、ファン７により浴室空調装置１の外部に吹出される空気を、循環風路１４の途中で温める。
【００３６】
次に、図５を用いて本実施の形態の浴室空調装置１の設置例について説明する。図５は、洗面所１７に隣接した浴室１８に浴室空調装置１が設置された状態を示している。
【００３７】
浴室空調装置１は浴室１８の天井に設置される。浴室１８の天井パネルには、図１等で説明した浴室空調装置１の本体ケース２が入る開口部が形成され、浴室空調装置１は、フロントパネル６が露出するようにして、天井裏から吊り下げる形態、あるいは天井パネルに固定する形態等で取り付けられる。
【００３８】
浴室１８の天井に取り付けられた浴室空調装置１では、図１に示す排気口１３に取り付けられた排気ダクト接続部１９に排気ダクト２０が接続される。排気ダクト２０は、図示しない建物の外壁に取り付けた排気グリル２１に接続される。これにより、浴室空調装置１で吸込んだ浴室１８内の空気を、排気ダクト２０を介して外に排気できる構成となっている。
【００３９】
浴室空調装置１は、洗濯物等を乾燥させる機能を備えるので、浴室１８には洗濯物等を掛けるランドリパイプ２２を備える。ここで、浴室空調装置１の図２等に示す吹出口１２から吹出す空気が、浴槽１８ａから出て洗い場１８ｂに居る入浴者に直接当たると、寒さを感じることがある。このため、吹出し方向がランドリパイプ２２側に向くように設定される。
【００４０】
例えば、吹出グリルを取り付ける向きで吹出し方向が調整できる構成では、浴室空調装置１の設置位置に応じて自在に吹出し方向が調整可能であり、ランドリパイプ２２側に向くように吹出し方向が設定可能である。
【００４１】
浴室１８の入口には浴室ドア２３を備える。浴室ドア２３は空気取入口（ガラリ）２３ａを備え、洗面所１７等の空気を浴室１８内に取り込めるようになっている。
【００４２】
図１等で説明した浴室空調装置１は、浴室１８内の空気を吸込み、吸込んだ空気の一部を排気口１３を介して屋外に排気する構成とした。しかし、洗面所１７等の他室の空気を吸込むための吸込み口を本体ケース２に設け、浴室１８内の空気に加え、他室の空気を吸込み、吸込んだ空気を排気口１３を介して屋外へ排気する構成としても良い。
【００４３】
＜本実施の形態の浴室空調装置の制御機能部構成例＞
図６は浴室空調装置１の制御機能部の一例を示すブロック図である。浴室空調装置１の制御機能部においては、ＣＰＵ（Central Processing Unit）やメモリ等で構成される制御・演算部２４に、操作部２５、ファン回転数検出部２６及び制御テーブル記憶部２７が接続される。更に制御・演算部２４には、図１等で説明したファン７を駆動するファンモータ８と、ダンパ１１を駆動するダンパモータ３５と、ヒータ５等が接続される。
【００４４】
操作部２５は、例えば浴室空調装置１本体と独立したリモートコントロール装置で、図５に示すように、洗面所１７の壁面等に取り付けられる。
【００４５】
図７は操作部２５の一例を示す構成図である。操作部２５は表示部３９と、各種操作ボタン等を備える。操作ボタンとしては、例えば、浴室空調装置１の電源ＯＮ・ＯＦＦを行う電源ボタン３８、暖房運転モードを選択する暖房モードボタン２８と、涼風運転モードを選択する涼風モードボタン２９と、換気運転モードを選択する換気モードボタン３０と、乾燥運転モードを選択する乾燥モードボタン３１を備える。
【００４６】
また、選択した運転モードを利用者が確認できるように、例えば各ボタンに対応してランプ３２を備え、選択された運転モードのボタンに対応するランプ３２が点灯するようにしても良い。更に、タイマボタン３３を備えて、設定した時間に所望の運転モードが実行できるようになっている。
【００４７】
また操作部２５は初期設定ボタン３４を備える。初期設定ボタン３４を操作することにより、後述するように排気口１３から空気を排気する際のファン７の送風負荷の算出が、制御・演算部２４により行われる。
【００４８】
図６に示すファン回転数検出部２６は、ファンモータ８の回転数を検出し、検出結果を制御・演算部２４に対して出力する。ファン回転数検出部２６は回転数検出手段の一例である。
【００４９】
制御テーブル記憶部２７には、後述する、排気口１３から空気を排気する際のファン７の送風負荷に対応した、ファンモータ８及びダンパ１１の最適な制御情報を有する制御テーブルが記憶されている。
【００５０】
また制御テーブルとして、ファン７の送風負荷に対応した乾燥運転モード時のファンモータ８及びダンパ１１の制御情報を有する制御テーブルＡと、ファン７の送風負荷に対応した換気運転モード時のファンモータ８の制御情報を有する制御テーブルＢが記憶されている。
【００５１】
この制御テーブルＡ及び制御テーブルＢ内のファンモータ８及びダンパ１１の最適な制御情報は、予め実験等により求められたものである。ファン７の送風負荷が大きい場合、ファンモータ８に印加される電圧（デューティ）を大きくし、換気風路１５を大きく確保するようにダンパ１１を制御する乾燥運転モード時の制御情報が、制御テーブルＡには記憶される。また、ファン７の送風負荷が大きい場合、ファンモータ８に印加される電圧を大きくする換気運転モード時の制御情報が、制御テーブルＢには記憶される。
【００５２】
ファンモータ８において印加する電圧とは、直流（ＤＣ）モータのＰＷＭ（パルス幅変調）制御信号のデューティも含むものである。また、ファンモータ８は直流（ＤＣ）モータであっても、交流（ＡＣ）モータであっても良い。
【００５３】
制御・演算部２４は、ファン回転数検出部２６よりファンモータ８の回転数の情報が入力される。制御・演算部２４は入力されたファンモータ８の回転数の情報に基づき、排気口１３から空気を排気する際のファン７の送風負荷を算出する。この排気口１３から空気を排気する際のファン７の送風負荷の算出方法については後述する。ファン回転数検出部２６及び制御・演算部２４は、送風負荷検出手段の一例である。
【００５４】
また制御・演算部２４は、制御テーブル記憶部２７より、制御テーブルＡ及び制御テーブルＢが入力される。制御・演算部２４は、算出した排気口１３から空気を排気する際のファン７の送風負荷の情報と、制御テーブルＡの情報に基づき、乾燥運転モード時のファンモータ８及びダンパ１１の制御情報を算出する。また、制御・演算部２４は、算出した排気口１３から空気を排気する際のファン７の送風負荷の情報と、制御テーブルＢの情報に基づき、換気運転モード時のファンモータ８の制御情報を算出する。
【００５５】
制御・演算部２４は、入浴者等の利用者の操作部２５の操作に応じて、前述した暖房運転モード、換気運転モード、涼風運転モード及び乾燥運転モードを実行する。制御・演算部３０は、選択された運転モードを実行するプログラムに従いファンモータ８、ダンパモータ３５及びヒータ５等を制御する。制御・演算部２４は制御手段の一例である。
【００５６】
＜ファン送風負荷算出方法例＞
次に、排気口１３から空気を排気する際のファン７の送風負荷の算出方法について説明する。図８はファン７の送風負荷を算出する制御プログラムのフローチャートの例を示す説明図であり、図９はファン７の送風負荷の算出方法の説明図である。この制御プログラムは施工時等の電源投入時、又は初期設定ボタン３４が押された場合に実行されるようになっている。
【００５７】
浴室空調装置１においては、例えば次に示す方法にて排気口１３から空気を排気する際のファン７の送風負荷が算出される。図７に示す操作部２５の初期設定ボタン３４が操作されると、図８に示すファン７の送風負荷を算出する制御プログラムが、制御・演算部２４により実行される。
【００５８】
ファン７の送風負荷を算出する制御プログラムが実行されると、まず図３に示すように、ダンパ１１の位置が換気位置になるように制御・演算部２４によりダンパモータ３５が制御される（ステップＳＡ１）。これにより、循環風路１４は形成されず、換気風路１５のみが形成された状態とする。
【００５９】
その後、ファンモータ８に所定の電圧を印加しファン７を回転駆動させる（ステップＳＡ２）。図９はファンモータ８に前述した所定の電圧を印加した際のファン７の特性を示す説明図である。
【００６０】
図９においては、ファン７のファン回転数Ｎとファン７から送風される風量Ｑの間の特性を示すＮ−Ｑ特性３６と、ファン７の入力側と出力側の圧力損失Ｐとファン７から送風される風量Ｑの間の特性を示すＰ−Ｑ特性３７を示している。このＮ−Ｑ特性３６とＰ−Ｑ特性３７は、それぞれファン７及びファンモータ８の種類、及びファンモータ８に印加される電圧により決定される特性である。
【００６１】
図８のＳ２においてファンモータ８に印加される所定の電圧と、この所定の電圧におけるファン７及びファンモータ８のＮ−Ｑ特性３６及びＰ−Ｑ特性３７の情報は、図示しないメモリ等に予め記憶されている。
【００６２】
ファンモータ８に所定の電圧を印加しファン７を回転駆動させた後、ファン回転数検出部２６によりファン７の回転数が検出される（ステップＳＡ３）。
【００６３】
ファン７の回転数の検出後、Ｎ−Ｑ特性よりファン７から送風される風量Ｑを算出する（ステップＳＡ４）。検出されたファン７の回転数が、例えば、図９に示すようにＮａである場合、予め記憶されているＮ−Ｑ特性３６から、ファン７から送風される風量Ｑａが算出される。
【００６４】
ファン７から送風される風量Ｑの算出後、Ｐ−Ｑ特性よりファン７の入力側と出力側の圧力損失Ｐを算出する（ステップＳＡ５）。算出されたファン７から送風される風量が上述したようにＱａである場合、図９に示すように、予め記憶されているＰ−Ｑ特性３７から、ファン７の入力側と出力側の圧力損失Ｐａが算出される。
【００６５】
算出されたファン７の入力側と出力側の圧力損失Ｐにより、排気口１３から空気を排気する際のファン７の送風負荷を決定し、この決定されたファン７の送風負荷の情報を図示しないメモリ等に記憶する（ステップＳＡ６）。
【００６６】
排気口１３から空気を排気する際のファン７の送風負荷は、図５に示す排気ダクト２０の長さ、浴室ドア２３の空気取入口２３ａの開口の大きさ等といった、浴室空調装置１の設置されている環境によって決まる。排気ダクト２０が長い、又は、浴室ドア２３の空気取入口２３ａの開口が小さいといった場合に、排気口１３から空気を排気する際のファン７の送風負荷は大きな値となる。
【００６７】
図６から図９等を用いて説明した例では、所定の電圧をファンモータ８に印加し、その際のファン７の回転数を検出し、検出したファン７の回転数、Ｎ−Ｑ特性３６及びＰ−Ｑ特性３７を用いてファン７の送風負荷を算出する構成とした。
【００６８】
しかし、浴室空調装置１が圧力センサ等の圧力検出手段を備え、この圧力検出手段によりファン７の入力側と出力側の圧力損失Ｐを検出し、排気口１３から空気を排気する際のファン７の送風負荷を決定する構成としても良い。
【００６９】
また、浴室空調装置１が、風量センサや風速センサ等の風量検出手段を備え、この風量検出手段によりファン７から送風される風量Ｑを検出し、Ｐ−Ｑ特性３７を用いてファン７の入力側と出力側の圧力損失Ｐを算出し、排気口１３から空気を排気する際のファン７の送風負荷を決定する構成としても良い。
【００７０】
更に、浴室空調装置１が設置される環境における排気口１３から空気を排気する際のファン７の送風負荷が、予めわかっている場合は、ファン７の送風負荷の値を、例えば操作部２５に備えられた入力手段等により、手動で入力するとしても良い。この制御プログラムは各運転モードの切換え時に行うようにしても良く、また時間により間欠的に行うか、常時行うようにしても良い。
【００７１】
＜乾燥運転モードの動作例＞
次に、浴室空調装置１における乾燥運転モードの動作例について説明する。図１０は乾燥運転モード時の制御プログラムのフローチャートの例を示す説明図である。
【００７２】
操作部２５の乾燥モードボタン３１が押されると、図１０に示す乾燥運転モード時の制御プログラムが、制御・演算部２４により実行される。乾燥運転モード時の制御プログラムが実行されると、まず制御・演算部２４は制御テーブル記憶部２７に記憶されている制御テーブルＡを読み込む（ステップＳＢ１）。
【００７３】
その後、図８等で説明した方法により算出したファン７の送風負荷の情報と制御テーブルＡの情報を基に、ファンモータ８及びダンパ１１の制御情報を算出する（ステップＳＢ２）。
【００７４】
その後算出したファンモータ８及びダンパ１１の制御情報を基に、図４に示すように、制御・演算部２４は、ファンモータ８及びダンパ１１を制御する（ステップＳＢ３）。この時ダンパ１１の位置は循環換気位置となる。また乾燥運転モードでは、制御・演算部３０はヒータ５をオンにする。
【００７５】
ファンモータ８によりファン７が回転駆動されると、フロントパネル６の吸込口６ｂを介してファンユニット３の吸込口１０から浴室２４の空気が吸込まれる。ダンパ１１の位置が循環換気位置であると、ファンユニット３において吸込口１０から吹出口１２への循環風路１４と、吸込口１０から排気口１３への換気風路１５の双方が形成される。このため、吸込口１０から吸込まれた空気の一部は、換気風路１５及び排気口１３を通り、更に、図６に示す排気ダクト２０を通って排気グリル２１から屋外へ排気される。
【００７６】
また、浴室２４内の空気を屋外に排気することで、浴室ドア２３に設けた空気取入口２３ａから、洗面所２３等の空気が吸込まれる。
【００７７】
また、吸込口１０から吸込まれた空気の一部は、循環風路１４を通り吹出口１２からフロントパネル６の吹出口６ａを介して浴室２４内に吹出される。そして、ヒータ５がオンされてヒータ５が加熱されることで、循環風路１４を通る空気が温められて吹出口１２から温風が吹出す。吹出した温風はランドリパイプ２２に掛けられた洗濯物に対して送風される。
【００７８】
更に、浴室２４内の空気の一部は屋外に排気され、空気取入口２３ａから洗面所２３等の空気を取り込むことで、浴室２４内の換気が行われるので、湿気等を排出して、洗濯物の乾燥を促進することができる。
【００７９】
本実施の形態の浴室空調装置１では、乾燥運転モードにおいて、算出されたファン７の送風負荷に基づき、ファン７を回転駆動するファンモータ８、及び、ダンパ１１が最適に制御される。これにより換気風路１５を介して排気口１３から屋外へ排気される空気と、循環風路１４を介して浴室１８内へ吹出される空気は、それぞれ所定の風量が確保される。
【００８０】
よって、湿気を含んだ浴室１８内の空気の所定風量が屋外に排気される。また、ヒータ５により加熱された空気の所定風量が浴室１８内の洗濯物に対して送風される。
【００８１】
これにより、浴室空調装置１の設置環境におけるファン７の送風負荷によらず、浴室１８内に設置された洗濯物の乾燥を常に効率良く行うことが可能となる。
【００８２】
また、上述した制御テーブルＡの情報に基づき、ファンモータ８及びダンパ１１は次のように制御される。算出されたファン７の送風負荷が大きい場合、ファンモータ８には大きい電圧が印加され、ファン７が高速で回転し、ファン７から多くの空気が送風される。また算出されたファン７の送風負荷が大きい場合、換気風路１５に多くの空気が流れるように換気風路１５を大きくし、循環風路１４を小さくするようにダンパ１１は制御される。これにより換気風路１５を介して排気口１３から屋外へ排気される空気と、循環風路１４を介して浴室１８内へ吹出される空気は、それぞれ所定の風量が確保される。
【００８３】
また、算出されたファン７の送風負荷が小さい場合、ファンモータ８には小さい電圧が印加され、ファン７が低速で回転し、ファン７から少ない空気が送風される。また算出されたファン７の送風負荷が小さい場合、循環風路１４に多くの空気が流れるように循環風路１４を大きくし、換気風路１５を小さくするようにダンパ１１は制御される。これにより換気風路１５を介して排気口１３から屋外へ排気される空気と、循環風路１４を介して浴室１８内へ吹出される空気は、それぞれ所定の風量が確保される。
【００８４】
＜換気運転モードの動作例＞
次に、浴室空調装置１における換気運転モードの動作例について説明する。図１１は換気運転モード時の制御プログラムのフローチャートの例を示す説明図である。
【００８５】
操作部２５の換気モードボタン３０が押されると、図１１に示す換気運転モード時の制御プログラムが、制御・演算部２４により実行される。換気運転モード時の制御プログラムが実行されると、まず制御・演算部２４は制御テーブル記憶部２７に記憶されている制御テーブルＢを読み込む（ステップＳＣ１）。
【００８６】
その後、図８等で説明した方法により算出したファン７の送風負荷の情報と制御テーブルＢの情報を基に、ファンモータ８の制御情報を算出する（ステップＳＣ２）。
【００８７】
その後、算出したファンモータ８の制御情報を基に、制御・演算部２４は、ファンモータ８を制御する（ステップＳＣ３）。また換気運転モードでは、制御・演算部３０は、ダンパ１１の位置が図３に示す換気位置となるように、ダンパモータ３５を制御する。
【００８８】
ファンモータ８によりファン７が回転駆動されると、フロントパネル６の吸込口６ｂを介してファンユニット３の吸込口１０から浴室２４の空気が吸込まれる。ダンパ１１の位置が換気位置であると、ファンユニット３において吸込口１０から排気口１３への換気風路１５が形成されるので、吸込口１０から吸込まれた空気は、換気風路１５及び排気口１３を通り、更に、図６に示す排気ダクト２０を通って排気グリル２１から屋外へ排気される。
【００８９】
また、浴室２４内の空気を屋外に排気することで、浴室ドア２３に設けた空気取入口２３ａから、洗面所２３等の空気が吸込まれる。
【００９０】
これにより、換気運転モードを実行することで、浴室２４内の湯気や湿気を排出して結露等を抑制し、カビの発生を抑えることができる。
【００９１】
本実施の形態の浴室空調装置１では、換気運転モードにおいて、算出されたファン７の送風負荷に基づき、ファン７を回転駆動するファンモータ８が最適に制御される。これにより換気風路１５を介して排気口１３から屋外へ排気される空気は、所定の風量が確保される。
【００９２】
これにより、浴室２４内の湯気や湿気を排出することによる、浴室１８内の結露、カビの発生等の抑制を効率良く行うことができる。
【００９３】
また、上述した制御テーブルＡの情報に基づき、ファンモータ８は次のように制御される。算出されたファン７の送風負荷が大きい場合、ファンモータ８には大きい電圧が印加され、ファン７が高速で回転し、ファン７から多くの空気が送風される。これにより換気風路１５を介して排気口１３から屋外へ排気される空気は所定の風量が確保される。
【００９４】
また、算出されたファン７の送風負荷が小さい場合、ファンモータ８には小さい電圧が印加され、ファン７が低速で回転し、ファン７から少ない空気が送風される。これにより換気風路１５を介して排気口１３から屋外へ排気される空気は所定の風量が確保される。
【００９５】
＜暖房運転モードの動作例＞
次に、浴室空調装置１における暖房運転モードの動作例について説明する。図７で説明した制御・演算部３０は、操作部２５の暖房モードボタン２８が押されると、暖房運転モードを実行する。暖房運転モードでは、図１に示すように、ダンパ１１の位置が浴室２４内の空気を循環させる循環位置となるように、制御・演算部３０はダンパモータ３５を制御する。更に暖房運転モードでは、制御・演算部３０はヒータ５をオンにする。
【００９６】
ファンモータ８によりファン７が回転駆動されると、フロントパネル６の吸込口６ｂを介してファンユニット３の吸込口１０から浴室２４の空気が吸込まれる。ダンパ１１の位置が循環位置であると、ファンユニット３において吸込口１０から吹出口１２への循環風路１４が形成される。このため、吸込口１０から吸込まれた空気は、循環風路１４を通り吹出口１２からフロントパネル６の吹出口６ａを介して浴室２４内に吹出される。そして、ヒータ５がオンされてヒータ５が加熱されることで、循環風路１４を通る空気が温められて吹出口１２から温風が吹出す。
【００９７】
これにより暖房運転モードにおいては、浴室２４内の空気を循環させながら浴室２４内を暖房し、洗い場２４ｂの温度を上げることができる。
＜涼風運転モードの動作例＞
次に、浴室空調装置１における涼風運転モードの動作例について説明する。図７で説明した制御・演算部３０は、操作部２５の涼風モードボタン２９が押されると、涼風運転モードを実行する。涼風運転モードでは、図４に示すように、ダンパ１１の位置が浴室２４内の空気を循環させながら換気を行う循環換気位置となるように、制御・演算部３０はダンパモータ３５を制御する。
【００９８】
ファンモータ８によりファン７が回転駆動されると、フロントパネル６の吸込口６ｂを介してファンユニット３の吸込口１０から浴室２４の空気が吸込まれる。ダンパ１１の位置が循環換気位置であると、ファンユニット３において吸込口１０から吹出口１２への循環風路１４と、吸込口１０から排気口１３への換気風路１５の双方が形成される。このため、吸込口１０から吸込まれた空気の一部は、換気風路１５及び排気口１３を通り、更に、図６に示す排気ダクト２０を通って排気グリル２１から屋外へ排気される。
【００９９】
また、浴室２４内の空気を屋外に排気することで、浴室ドア２３に設けた空気取入口２３ａから、洗面所２３等の空気が吸込まれる。
【０１００】
また、吸込口１０から吸込まれた空気の一部は、循環風路１４を通り吹出口１２からフロントパネル６の吹出口６ａを介して浴室２４内に吹出される。
【０１０１】
これにより、涼風運転モードを実行することで、浴室２４内の空気を循環及び換気させながら、浴室２４内の温度に応じた涼風が吹出され、浴室空調装置１を夏場等に扇風機として使用することができる。
【０１０２】
なお、涼風運転モードのダンパ１１の位置は、図１に示す循環位置としても良い。
【産業上の利用可能性】
【０１０３】
本発明は、浴室の空調を行う浴室空調装置に適用される。
【図面の簡単な説明】
【０１０４】
【図１】本実施の形態の浴室空調装置を示す説明図である。
【図２】本実施の形態の浴室空調装置の分解斜視図である。
【図３】本実施の形態の浴室空調装置を示す説明図である。
【図４】本実施の形態の浴室空調装置を示す説明図である。
【図５】本実施の形態の浴室空調装置の設置例を示す説明図である。
【図６】本実施の形態の浴室空調装置の制御機能例を示す説明図である。
【図７】本実施の形態の浴室空調装置の操作部の例を示す説明図である。
【図８】ファンの送風負荷算出時の制御プログラムフローチャート例である。
【図９】ファンの送風負荷算出方法の説明図である。
【図１０】乾燥運転モード時の制御プログラムのフローチャート例である。
【図１１】換気運転モード時の制御プログラムのフローチャート例である。
【符号の説明】
【０１０５】
１・・・浴室空調装置、２・・・本体ケース、３・・・ファンユニット、４・・・風路変更部、５・・・ヒータ、６・・・フロントパネル、６ａ・・・吹出口、６ｂ・・・吸込口、７・・・ファン、８・・・ファンモータ、９・・・ファンケース、１０・・・吸込口、１１・・・ダンパ、１１ａ・・・カム、１１ｂ・・・軸、１２・・・吹出口、１３・・・排気口、１４・・・循環風路、１５・・・換気風路、１６・・・フィルタ、１７・・・洗面所、１８・・・浴室、１８ａ・・・浴槽、１８ｂ・・・洗い場、１９・・・排気ダクト接続部、２０・・・排気ダクト、２１・・・排気グリル、２２・・・ランドリパイプ、２３・・・浴室ドア、２３ａ・・・空気取入口、２４・・・制御・演算部、２５・・・操作部、２６・・・ファン回転数検出部、２７・・・制御テーブル記憶部、２８暖房モードボタン、２９・・・涼風モードボタン、３０・・・換気モードボタン、３１・・・乾燥モードボタン、３２・・・ランプ、３３・・・タイマボタン、３４・・・初期設定ボタン、３５・・・ダンパモータ、３６・・・Ｎ−Ｑ特性、３７・・・Ｐ−Ｑ特性、３８・・・電源ボタン、３９・・・表示部
【図１】
0004706378.tif 000002
【図２】
0004706378.tif 000003
【図３】
0004706378.tif 000004
【図４】
0004706378.tif 000005
【図５】
0004706378.tif 000006
【図６】
0004706378.tif 000007
【図７】
0004706378.tif 000008
【図８】
0004706378.tif 000009
【図９】
0004706378.tif 000010
【図１０】
0004706378.tif 000011
【図１１】
0004706378.tif 000012